(57)【要約】      （修正有）【課題】長さの異なる複数のピンにより多様な高さのティーに対応した複数の穴を一度に開けることができるティーボーリング具を提供する。【解決手段】ゴルフのティーを差すための穴を開けるティーボーリング具である。長さの異なる複数のピン４ａ乃至４ｃと、複数のピン４ａ乃至４ｃが装着される装着部２と、ハンドル部３ｂを一部に有し、ハンドル部３ｂとは他端が装着部２に装着される柄３とを備えた。【選択図】図１
0003186126.tif 000002
【実用新案登録請求の範囲】
【請求項１】
ゴルフのティーを差すための穴を開けるティーボーリング具であって、
長さの異なる複数のピンと、
前記複数のピンが装着される装着部と、
ハンドル部を一部に有し、前記ハンドル部とは他端が前記装着部の中央に装着される柄と、を備えたこと
を特徴とするティーボーリング具。
【請求項２】
ゴルフのティーを差すための穴を開けるティーボーリング具であって、
長さの異なる複数のピンと、
中央開口部と当該中央開口部から等距離にある複数の開口部とが設けられた装着部と、
前記開口部に前記複数のピンが装着された状態で当該ピンを上から保持するように前記装着部の上に装着される平板部と、
ハンドル部を一端に有し当該ハンドル部とは他端が前記平板部を介して前記装着部の前記中央開口部に装着され、前記装着部と前記平板部とが一体となるように保持する柄と、を備えたこと
を特徴とするティーボーリング具。
【請求項３】
前記柄の前記他端には、ボルト状の溝が所定長だけ設けられており、
前記中央開口部の内周面にはネジ溝が設けられており、
前記ボルト状の溝は、前記平板部を介して前記装着部の前記中央開口部に装着され、前記柄が所望とする長さとなるようにナットで固定位置が調整されること
を特徴とする請求項２に記載のティーボーリング具。
【請求項４】
前記装着部に設けられた前記開口部は３つであり、
前記装着部の前記中央開口部が三角形の重心となる当該三角形の頂点に位置するように各開口部がそれぞれ設けられること
を特徴とする請求項２又は３の何れかに記載のティーボーリング具。
【考案の詳細な説明】
【技術分野】
【０００１】
本考案は、ゴルフ場でティーを差し込む為の穴を開けるティーボーリング具に関する。
【背景技術】
【０００２】
従来、ゴルフ場のティーグランドは冬季には地面が凍結し、ティーを上手く差すことができないことに鑑み、ティーグランド等にティーを差し込む穴を開けるためのティーボーリング具が開発されている。
【０００３】
ここで、例えば、特許文献１では、ティー立て用差し込み穴を開ける道具であるティー立て用穴開け器具が開示されている。即ち、同文献１では、１本のピンだけを用いたティー立て用穴開け器具が開示されている。
【先行技術文献】
【特許文献】
【０００４】
【特許文献１】実用新案登録第３１２８９２５号公報
【考案の概要】
【考案が解決しようとする課題】
【０００５】
しかしながら、特許文献１では、穴を開ける為のピンを１本しか装着することができないことから、多様な高さのティーに対応した複数の穴を一度に開けることはできない。
【０００６】
また、凍結したティーグランドは、一般に地割れを起こし易いが、多様な高さのティーに対応した複数の穴を一度に開ける場合に、各ピンを好適な間隔となるように配置することで各ピンに略均等に押圧力を付与し、穴開け時の地割れを防止する点に着目した技術は存在しない。この点は、勿論、特許文献１にも開示されていない。
【０００７】
本考案は、これら技術的な課題に鑑み、長さの異なる複数のピンにより多様な高さのティーに対応した複数の穴を一度に開けることができ、ピンの配置を工夫することで地割れの発生を防止したティーボーリング具を提供することを目的とする。
【課題を解決するための手段】
【０００８】
上述技術的な課題を解決するため、本考案の一態様に係るティーボーリング具は、ゴルフのティーを差すための穴を開けるティーボーリング具であって、長さの異なる複数のピンと、前記複数のピンが装着される装着部と、ハンドル部を一部に有し当該ハンドル部とは他端が前記装着部の中央に装着される柄とを備えたことを特徴とする。
【０００９】
さらに、本考案の他の態様に係るティーボーリング具は、ゴルフのティーを差すための穴を開けるティーボーリング具であって、長さの異なる複数のピンと、中央開口部と当該中央開口部から等距離にある複数の開口部とが設けられた装着部と、前記開口部に前記複数のピンが装着された状態で当該ピンを上から保持するように前記装着部の上に装着される平板部と、ハンドル部を一端に有し当該ハンドル部とは他端が前記平板部を介して前記装着部の前記中央開口部に装着され、前記装着部と前記平板部とが一体となるように保持する柄と、を備えたことを特徴とする。
【００１０】
さらに、上記他の態様に係るティーボーリング具において、前記柄の前記他端にはボルト状の溝が所定長だけ設けられており、前記中央開口部の内周面にはネジ溝が設けられており、前記ボルト状の溝は、前記平板部を介して前記装着部の前記中央開口部に装着され、前記柄が所望とする長さとなるようにナットで固定位置が調整されるようにしてもよい。さらに、前記装着部に設けられた前記開口部は３つであり、前記装着部の前記中央開口部が三角形の重心となる当該三角形の頂点に位置するように各開口部がそれぞれ設けられるようにしてもよい。
【考案の効果】
【００１１】
本考案の請求項１に係るティーボーリング具によれば、長さの異なる複数のピンにより多様な高さのティーに対応した深さの異なる複数の穴を一度に開けることができる。
【００１２】
本考案の請求項２に係るティーボーリング具によれば、上記効果に加えて、ピンの配置を柄の装着位置との関係もふまえて工夫することで、穴を開ける際の地割れの発生を効果的に防止することができる。
【００１３】
本考案の請求項３に係るティーボーリング具によれば、上記効果に加えて、柄の長さを調整することができるので、ユーザの体格や好みにあったサイズとすることができ、ユーザの操作性を向上させることができる。
【００１４】
本考案の請求項４に係るティーボーリング具によれば、上記効果に加えて、複数のピンに均等に押圧力が加わるので、凍結したティーグランドに穴を開ける場合でも、地割れを起こすことなく深さの異なる複数の穴を一度の動作で開けることができる。
【図面の簡単な説明】
【００１５】
【図１】本考案の一実施形態に係るティーボーリング具の斜視図である。
【図２】本考案の一実施形態に係るティーボーリング具の他の斜視図である。
【図３】本考案の一実施形態に係るティーボーリング具の分解斜視図である。
【図４】（ａ）は本考案の一実施形態に係るティーボーリング具の先端部分の断面図であり、（ｂ）はピンを装着する為の開口部の関係を説明する図である。
【考案を実施するための形態】
【００１６】
以下、本考案のティーボーリング具に係る好適な実施形態について図面を参照しながら説明する。なお、本考案に係るティーボーリング具は、以下の記述に限定されるものではなく、本考案の要旨を逸脱しない範囲において、適宜変更可能である。
【００１７】
図１には本考案の一実施形態に係るティーボーリング具を上方から見た斜視図を、図２には当該ティーボーリング具を下方から見た斜視図を、図３には当該ティーボーリング具の分解斜視図を、それぞれ示す。更に、図４（ａ）には当該ティーボーリング具の装着部の断面図を示し、図４（ｂ）にはピンを装着する為の凹部の開口部の配置例を示す。
【００１８】
これら図１乃至３に示されるように、本実施形態に係るゴルフのティーを差すための穴を開けるティーボーリング具１は、長さの異なる複数のピン４ａ〜４ｃと、この複数のピン４ａ〜４ｃが装着される装着部２と、ハンドル部３ｂを一端に有し該ハンドル部３ｂとは他端が装着部２の中央に装着される柄３とを備えている。この例では、ハンドル部３ｂは柄３と一体となっており、ハンドル部３ｂを柄３の一端を略三角形状となるように成型して構成しているが、柄３と別体であってもよい。また、例えば、ゴム等により把持し易いようにしたグリップを別途設けるようにしてもよい。
【００１９】
装着部２には、複数のピン４ａ〜４ｃを装着するための開口部２ｂ〜２ｄが設けられた凹部２ａが形成されている。この例では、装着部２は、一部に窪みを有するが円筒形状となっている。凹部２ａは、装着部２の上表面にて円筒状に内側に窪むように設けられている。但し、これには限定されない。装着部２の直径は１０ｃｍとし、凹部２ａの直径は６ｃｍとし、装着部２の厚みは２ｃｍとすることができる。また、凹部２ａの深さは０．７ｃｍ〜１．０ｃｍとすることができる。但し、これらのサイズは一例であり、これには限定されない。
【００２０】
開口部２ｂ〜２ｄは、装着部２の中央開口部２ｅを取り囲むように設けられている。即ち、開口部２ｂ〜２ｄは、中央開口部２ｅから等距離となるように設けられている。これにより、中央開口部２ｅに与えられた押圧力を各開口部２ｂ〜２ｄのピン４ａ〜４ｃにバランスよく分散することができる。
【００２１】
ピン４ａ〜４ｃは、先細りの形状で先端が鋭利となっており、後端部は所定長だけ開口部２ｂ〜２ｄよりも経が大きくなっており、後端部により開口部２ｂ〜２ｄにて位置固定されるようになっている。即ち、ピンは所謂釘形状である。
【００２２】
尚、この例では、例えば６．５ｃｍ、５．５ｃｍ、４．５ｃｍ、３．５ｃｍ、３．２ｃｍの５種類のピンの中から所望とする長さのピン３つを選択して、ピン４ａ〜４ｃとして装着部２の開口部２ｂ〜２ｄに装着することを想定しているが、ピンの長さはこれらに限定されない。このように多様なサイズのピンを装着可能とすることで、高さが多様化したティーに柔軟に対応することができる。
【００２３】
装着部２には、中央に柄３のハンドル部３ｂとは他端のボルト状部３ａが装着される中央開口部２ｅも設けられている。この中央開口部２ｅは凹部２ａの表面から装着部２の底面に向けて設けられており、内周にはネジ溝が形成されている。装着部２の凹部２ａの開口部２ｂ〜２ｄに長さが異なる複数のピン４ａ〜４ｃが装着された状態で、当該ピン４ａ〜４ｃを上から押さえ付けて位置固定するように、円盤状の平板部５が当該凹部２ａの上に装着され、柄３のボルト状の溝が刻まれたボルト状部３ａが、平板部５の開口部５ａを介して、装着部２の中央開口部２ｅにねじ込まれて装着される。このように、平板部５を介して柄３を装着部２に装着するだけで、複数のピンを保持できる。
【００２４】
このとき、柄３が所望とする長さとなるようにワッシャー７を介してナット６で固定され、こうして固定位置が調整される。即ち、柄３の長さは調整可能として、ユーザの操作性を向上させている。例えば、ラウンドするプレイヤの体格や嗜好に合わせて、柄３の長さやピン４ａ〜４ｃのサイズを予め調整・設定することができる。尚、ナット６としては一般的な六角ナットのほか、蝶ナットも採用できる。
【００２５】
なお、前述したように柄３の一端は略三角形状のハンドル部３ｂとなっているので、当該柄３の他端のボルト状部３ａを装着部２の中央開口部２ｅにねじ込む際には、当該ハンドル部３ｂが持ち手となり、容易にねじ込み動作を行うことができる。
【００２６】
ここで、図４（ｂ）に示されるように、この例では、装着部２の凹部２ａに設けられた開口部２ｂ〜２ｄは３つであり、装着部２の中央開口部２ｅが三角形の重心となる当該三角形の頂点に位置するように各開口部２ｂ〜２ｄが設けられている。また、この例では開口部２ｂ〜２ｄの各間隔ａ１，ａ２，ａ３は等間隔であり、開口部２ｂ〜２ｄの配設位置を頂点とする三角形は正三角形となっている。
【００２７】
以上のような三角形を形成する開口部の位置関係により、凹部２ａ内という限られたスペースの中で、開口部２ｂ〜２ｄ間の間隔を最大限確保することが可能となり、更に柄３を介して装着部２に与えられた押圧力が中央開口部２ｅより各開口部２ｂ〜２ｄのピン４ａ〜４ｃに均等に与えられるので、穴を開ける際にティーグラウンド等で地割れが発生するのを効果的に防止することができることとなる。
【００２８】
複数のピン４ａ〜４ｃにより穴を開ける場合、その間隔が狭すぎると、穴と穴の間に地割れを起こしてしまう。その一方、ティーボーリング具は、プレイヤ自身が用いるものであるから、大きさも大き過ぎず好適なサイズとするのが好ましい。これらに鑑みて、本実施形態のティーボーリング具では、装着部は操作し易い大きさとしながらも、その制限されたサイズの中で最大限、効果的に間隔を開けて複数のピンをバランスよく装着することができるので、操作性を高めつつ、地割れの問題も防止することができる。
【００２９】
以上説明したように、本考案の一実施形態によれば、ゴルフのティーを差すための穴を一度の動作で複数開けるティーボーリング具１であって、長さの異なる複数のピン４ａ〜４ｃと、前記複数のピンを装着するための開口部２ｂ〜２ｄと内周面にネジ溝が刻まれた中央開口部２ｅとが設けられた凹部２ａを有する装着部２と、前記凹部２ａの前記開口部２ｂ〜２ｄに前記複数のピン４ａ〜４ｃが装着された状態で当該ピンを上から保持するように当該凹部の上に装着される平板部５と、ハンドル部３ｂを一端に有し該ハンドル部３ｂの他端にはボルト状の溝が所定長だけ刻まれたボルト状部３ａ設けられており、当該ボルト状部３ａが前記平板部５を介して前記装着部２の前記中央開口部２ｅに装着され、前記装着部２と前記平板部５とが一体となるように保持する柄３とを備え、前記柄３が所望とする長さとなるように、ナット６（及びワッシャー７）で前記中央開口部２ｅへの柄３の固定位置が調整され、前記凹部２ａには、前記装着部２の前記中央開口部２ｅが三角形の重心となる当該三角形の頂点に位置するように、３つの開口部２ａ〜２ｄが設けられていることを特徴とするティーボーリング具も提供される。
【００３０】
したがって、複数の深さの穴を一度の動作で開けることができる。更に、ピンの交換も装着部の凹部の開口部に差すだけなので、簡易且つ迅速に行うことができる。
【００３１】
また、柄が装着部の凹部の中央の中央開口部にねじ込みにより装着されるようになっており、ピンを差す開口部が、いずれも中央開口部から同距離なので、柄を介して押圧動作を行った場合に、各開口部に装着されたピンにバランスよく同等の押圧力が付与されるので、ばらつきなく複数の穴を開けることができる。
【００３２】
しかも、開口部が中央開口部を重心とする三角形の頂点に位置するように設けられているので、限られたスペースにおいて最大限、各開口部間の間隔を取ることができ、ピンとピンの間を最大限確保できるので、穴を開けるときに穴と穴の間の地割れを起こすことを防止することができる。
【００３３】
以上、本考案の一つの実施形態について説明したが、本考案はこれに限定されることなく、その主旨を逸脱しない範囲で種々の改良・変更が可能である。
【００３４】
例えば、装着部の凹部の開口部の数は３つには限定されず、複数でよい。開口部が４つ又は５つの場合には、長さの異なる４本又は５本のピンが装着されることになるが、地割れを防止するために、柄が装着される中央開口部を重心とした四角形又は５角形の各頂点に位置するように開口部を設けるとよい。
【符号の説明】
【００３５】
１...ティーボーリング具、２...装着部、２ａ...凹部、２ｂ〜２ｄ...開口部、２ｅ...中央開口部、３...柄、３ａ...ボルト状部、３ｂ...ハンドル部、４ａ〜４ｃ...ピン、５...平板部、５ａ...開口部、６...ナット、７...ワッシャー。
【図１】
0003186126.tif 000003
【図２】
0003186126.tif 000004
【図３】
0003186126.tif 000005
【図４】
0003186126.tif 000006